(57)【要約】【課題】簡易で安価に融雪することが可能な融雪装置を提供する。【解決手段】融雪装置１０は、例えば、中空体１１と、この中空体１１の内側に設けられた発熱体１２と、更にこの発熱体１２の内側に設けられた断熱材１３とを備えている。中空体１１は、例えば、筒状の形状をしており、発熱体１２及び断熱材１３は、例えば、シート状の形状のものを筒状に丸めたものである。断熱材１３の内側には、更に、バネなどの弾性体１４を挿入するようにすると好ましい。【選択図】図２
0003176306.tif 000002
【実用新案登録請求の範囲】
【請求項１】
中空体と、この中空体の内側に設けられた発熱体と、更にこの発熱体の内側に設けられた断熱材とを備えたことを特徴とする融雪装置。
【請求項２】
前記断熱材の内側に、弾性体を備えたことを特徴とする請求項１記載の融雪装置。
【考案の詳細な説明】
【技術分野】
【０００１】
本考案は、発熱体を用いた融雪装置に関する。
【背景技術】
【０００２】
積雪の多い地域では、地面に積もった雪を、例えば、雪かきをして移動しており、非常に労力が必要とされている。そこで、融雪する方法も行われており、例えば、発熱体を用いたシート状の融雪マットを地面に敷き詰めることにより、降り積もった雪を熱により溶解する方法が行われている（例えば、特許文献１参照）。
【先行技術文献】
【特許文献】
【０００３】
【特許文献１】特開２００５−３１０４４３号公報
【考案の概要】
【考案が解決しようとする課題】
【０００４】
しかしながら、融雪マットを用いた場合には、大規模な工事が必要になり、コストが高くなってしまうという問題があった。
【０００５】
本考案は、このような問題に基づきなされたものであり、簡易で安価に融雪することが可能な融雪装置を提供することを目的とする。
【課題を解決するための手段】
【０００６】
本考案の融雪装置は、中空体と、この中空体の内側に設けられた発熱体と、更にこの発熱体の内側に設けられた断熱材とを備えたものである。
【考案の効果】
【０００７】
本考案の融雪装置によれば、中空体の内側に発熱体を設けるようにしたので、雪が降った後に、積もった雪の中に挿入して用いることができる。よって、簡易かつ安価に融雪することができる。また、発熱体の内側に断熱材を設けるようにしたので、より高い効果を得ることができる。
【０００８】
更に、断熱材の内側に弾性体を備えるようにすれば、断熱材と発熱体とを密着させ、また、発熱体と中空体の内壁とを密着させることができ、より高い効果を得ることができる。
【図面の簡単な説明】
【０００９】
【図１】本考案の一実施の形態に係る融雪装置の構成を表す図である。
【図２】図１に示したＩ−Ｉ線に沿った断面図である。
【図３】本実施例に係る融雪装置の発熱時の温度変化を表す図である。
【図４】本実施例に係る融雪装置の発熱を停止した後の温度変化を表す図である。
【考案を実施するための形態】
【００１０】
以下、本考案の実施の形態について、図面を参照して詳細に説明する。
【００１１】
図１は、本考案の一実施の形態に係る融雪装置１０の構成を表すものであり、図２は、図１のＩ−Ｉ線に沿った断面構成を表すものである。この融雪装置１０は、例えば、中空体１１と、この中空体１１の内側に設けられた発熱体１２と、更にこの発熱体１２の内側に設けられた断熱材１３とを備えている。
【００１２】
中空体１１は、例えば、筒状の形状をしており、例えば、樹脂により形成されている。発熱体１２は、例えば、シート状の形状のものを筒状に丸めたものであり、電源コード１２ａが接続されている。なお、この発熱体１２は、中空体１１の内壁に接するように配設されている。
【００１３】
断熱材１３は、例えば、シート状の形状のものを筒状に丸めたものであり、発熱体１２の内壁に接するように配設されている。これにより、発熱体１２による熱が外側に向かって伝わるようになっている。なお、断熱材１３には、例えば、アルミニウム箔などの反射材を設けるようにしてもよい。
【００１４】
断熱材１３の内側には、更に、バネなどの弾性体１４を挿入するようにすると好ましい。弾性により、断熱材１３と発熱体１２とを簡単に密着させ、また、発熱体１２と中空体１１の内壁とを簡単に密着させることができるからである。弾性体１４は、例えば、円柱状の螺旋に巻いたアルミニウムなどよりなるばねにより形成されている。
【００１５】
中空体１１の一方の開口部１１ａは、例えば、蓋１１ｂにより覆うことができるようになっている。なお、蓋１１ｂは、開口部１１ａを覆っていればよく、取り外しできるものであってもよいし、取り外しできないように、例えば接着されていてもよく、また、中空体１１と一体となって結合していてもよい。
【００１６】
中空体１１の他方の開口部１１ｃは、例えば、蓋１１ｄにより覆うことでできるようになっている。蓋１１ｄには、例えば、貫通孔１１ｅが設けられており、この貫通孔１１ｅから、発熱体１２に接続された電源コード１２ａを貫通させることができるようになっている。なお、この貫通孔１１ｅには、電源コード１２ａと密着するようにゴムなどのシールドを設けることが好ましい。融けた雪などが融雪装置１０の内部に入ることを防ぐためである。
【００１７】
蓋１１ｄは、開口部１１ｃを覆えるようになっていればよいが、取り外しできるようになっているものが好ましい。融雪装置１０の内部に発熱体１２の交換を容易にすることができるからである。
【００１８】
この融雪装置１０は、例えば、次のようにして製造することができる。まず、蓋１１ｂにより開口部１１ａを閉じた中空体１１の内部に、シート状の発熱体１２を筒状に丸めて挿入する。次いで、発熱体１２の内側に、シート状の断熱材１３を筒状に丸めて挿入する。続いて、断熱材１３の内側に、バネなどの弾性体１４を挿入し、発熱体１２及び断熱材１３を中空体１１の内側に密着させる。そののち、蓋１１ｄの貫通孔１１ｅに電源コード１２ａを通し、電源コード１２ａの端部を発熱体１２に接続して、中空体１１の開口部１１ｃを蓋１１ｄで閉鎖する。これにより、融雪装置１０が得られる。
【００１９】
また、使用に際しては、雪が積もった後に、雪の中に融雪装置１０を挿入し、電源コード１２ａを電源に差し込み、発熱体１２を発熱させる。
【００２０】
このように本実施の形態の融雪装置１０によれば、中空体１１の内側に発熱体１２を設けるようにしたので、雪が降った後に、積もった雪の中に挿入して用いることができる。よって、簡易かつ安価に融雪することができる。また、発熱体１２の内側に断熱材１３を設けるようにしたので、より高い効果を得ることができる。
【００２１】
更に、断熱材１３の内側に弾性体１４を備えるようにすれば、断熱材１３と発熱体１２とを密着させ、また、発熱体１２と中空体１１の内壁とを密着させることができ、より高い効果を得ることができる。
【実施例】
【００２２】
上述した融雪装置１０を作製し、動作実験を行い、融雪装置１０の表面温度及び内部温度を測定した。具体的には、まず、電源コード１２ａを電源に接続し、外気温度１２℃において発熱体１２を発熱させて、融雪装置１０の表面温度及び内部温度の変化を調べた。次いで、しばらく通電してから、発熱体１２を発熱させたまま、外気温度８℃の場所に発熱体１２を移し、融雪装置１０の表面温度及び内部温度の変化を調べた。その結果を図３及び図４に示す。図３は、外気温度１２℃において発熱体１２を発熱させた時の温度変化であり、図４は外気温度８℃の場所に発熱体１２を移動させた後の温度変化である。融雪装置１０の内部温度については２箇所について測定した。また、外気温度も同時に測定した。
【００２３】
図３及び図４に示したように、この融雪装置１０によれば、外気温度１２℃であれば、表面温度を５０℃付近まで上昇させることができ、外気温度８℃であっても、表面温度を３０℃以上に上昇させることができ、十分に雪を溶かすことができることが分かった。更に、この融雪装置１０を積もった雪の中に挿入して通電したところ、雪を溶かすことができることが確認された。
【００２４】
以上、実施の形態及び変形例を挙げて本考案を説明したが、本考案は上記実施の形態及び変形例に限定されるものではなく、種々変形可能である。例えば、上記実施の形態では、発熱体１２を挿入した中空体１１を１つ用いる場合について説明したが、発熱体１２を挿入した中空体１１を複数用いるようにしてもよい。安定して置くことができるからである。その場合、例えば、複数の中空体１１を並列に並べ、結合部材により結合するようにしてもよい。また、中空体１１の側部に持ち手を設けるようにしてもよい。更に、中空体１１又は蓋１１ｄに紐を取り付けるようにしてもよい。融雪装置１０が雪の中に埋まってしまっても容易に取り出すことができるからである。
【符号の説明】
【００２５】
１０…融雪装置、１１…中空体、１１ａ…開口部、１１ｂ…蓋、１１ｃ…開口部、１１ｄ…蓋、１１ｅ…貫通孔、１２…発熱体、１２ａ…電源コード、１３…断熱材、１４…弾性体
【図１】
0003176306.tif 000003
【図２】
0003176306.tif 000004
【図３】
0003176306.tif 000005
【図４】
0003176306.tif 000006